(57)【要約】【課題】貯湯槽に貯湯されたお湯を積極的に有効利用することで、燃料電池の発電を停止継続することなく、燃料電池が効率的な発電を行えるための温水供給装置を提供する。【解決手段】洗濯機１と、前記洗濯機を制御する洗濯機制御部２と、燃料電池排熱による湯を貯える燃料電池貯湯槽３と、前記燃料電池貯湯槽の複数箇所に設けた温度検出手段４と、前記燃料電池貯湯槽の出湯温を制御する燃料電池貯湯槽制御部５と、前記燃料電池貯湯槽の出湯温を設定するリモコン６とを備え、前記リモコンは前記温度検出手段により得た計測の結果、前記燃料電池貯湯槽の湯が任意温度以上かつ任意量以上ある場合、リモコン６の表示手段７へその旨を表示することで使用者が貯湯槽のお湯を積極的に利用し、燃料電池による発電の停止の継続を少なくする。【選択図】  図１
2004347288.tif 000002
【特許請求の範囲】
【請求項１】
洗濯機と、前記洗濯機を制御する洗濯機制御部と、燃料電池排熱による湯を貯える燃料電池貯湯槽と、前記燃料電池貯湯槽の複数箇所に設けた温度検出手段と、前記燃料電池貯湯槽の出湯温を制御する燃料電池貯湯槽制御部と、前記燃料電池貯湯槽の出湯温を設定するリモコンとを備え、前記リモコンは前記温度検出手段により得た計測の結果、前記燃料電池貯湯槽の湯が任意温度以上かつ任意量以上ある場合、その旨を表示する表示手段を有することを特徴とする温水供給装置。
【請求項２】
燃料電池貯湯槽制御部は、燃料電池貯湯槽の湯が任意温度以上かつ任意量以上ある場合、洗濯機制御部に運転指令信号を送出することを特徴とする請求項１記載の温水供給装置。
【請求項３】
燃料電池貯湯槽制御部には洗濯機制御部への信号を送受する無線通信ユニットを有し、また前記洗濯機制御部には前記燃料電池貯湯槽制御部への信号を送受する無線通信ユニットを有することを特徴とする請求項２記載の温水供給装置。
【請求項４】
食器洗浄機と、前記食器洗浄機を制御する食器洗浄機制御部と、燃料電池排熱による湯を貯える燃料電池貯湯槽と、前記燃料電池貯湯槽の複数箇所に設けた温度検出手段と、前記燃料電池貯湯槽の出湯温を制御する燃料電池貯湯槽制御部と、前記燃料電池貯湯槽の出湯温を設定するリモコンとを備え、前記リモコンは前記温度検出手段により得た計測の結果、前記燃料電池貯湯槽の湯が任意温度以上かつ任意量以上ある場合、その旨を表示する表示手段を有することを特徴とする温水供給装置。
【請求項５】
燃料電池貯湯槽制御部は燃料電池貯湯槽の湯が任意温度以上かつ任意量以上ある場合、前記食器洗浄機制御部に運転指令信号を送出することを特徴とする請求項４記載の温水供給装置。
【請求項６】
燃料電池貯湯槽制御部には食器洗浄機制御部への信号を送受する無線通信ユニットを有し、また前記食器洗浄機制御部には前記燃料電池貯湯槽制御部への信号を送受する無線通信ユニットを有することを特徴とする請求項５記載の温水供給装置。
【発明の詳細な説明】
【０００１】
【発明の属する技術分野】
本発明は、燃料電池排熱による湯を貯える燃料電池貯湯槽と燃料電池貯湯槽に貯えられた貯湯水を給湯して利用する装置に関するものである。
【０００２】
【従来の技術】
従来、この種の給湯としての温水供給装置は、図９のように構成された燃料電池発電システムの畜熱装置があった。燃料電池１０１の排熱を蓄熱する温水タンク１０２内に熱交換器１０３が設けられ、燃料電１０１の排熱を回収する媒体を熱交換器へ供給する配管１０４は閉ループをなすように設置されている。温水タンク１０２の下部には給水管１０５が、上部には給湯管１０６が連結されている。温水タンク内１０２には複数の温度センサ１０７〜１１０が設けられ、給水管内には温度センサ１１１が装備されている。制御装置１１２は各温度センサの検出信号に基づいて温水タンク内１０２の蓄熱量を演算し、該蓄熱量が最大蓄熱量に達している場合、燃料電池１０１の発電を停止するように発電装置１１３を制御していた。（例えば、特許文献１参照）
【０００３】
【特許文献１】
特開２００２−７５３９２号公報
【０００４】
【発明が解決しようとする課題】
しかしながら上記従来例においては、電気負荷が増え、電気使用量が増えたにもかかわらず、蓄熱量が最大蓄熱量に達している場合、燃料電池の発電を停止するように発電装置を制御していたため、燃料電池発電を有効に活用できないという課題があった。
【０００５】
そこで本発明は、上述したこのような従来の燃料電池システムが有する課題を考慮して、温水供給装置において、蓄熱量が最大蓄熱量に達している場合、お湯を捨てる事無く、積極的に蓄えられたお湯を使用し、増えた電気負荷に対し、それを出来る限り賄うように燃料電池による発電を行い、燃料電池使用効率を最大限向上させる温水供給装置を提供することを目的とするものである。
【０００６】
【課題を解決するための手段】
上記従来の課題を解決するために本発明の温水供給装置は、洗濯機と、前記洗濯機を制御する洗濯機制御部と、燃料電池排熱による湯を貯える燃料電池貯湯槽と、前記燃料電池貯湯槽の複数箇所に設けた温度検出手段と、前記燃料電池貯湯槽の出湯温を制御する燃料電池貯湯槽制御部と、前記燃料電池貯湯槽の出湯温を設定するリモコンとを備え、前記リモコンは前記温度検出手段により得た計測の結果、前記燃料電池貯湯槽の湯が任意温度以上かつ任意量以上ある場合、その旨を表示する表示手段を有するものである。
【０００７】
上記発明によれば、リモコンの表示を使用者が見ることで、燃料電貯湯槽に任意温度以上かつ任意量以上のお湯が蓄えてられていることがわかり、使用者が燃料電池貯湯槽のお湯を洗濯機に使用して貯湯槽のお湯を少なくすることで燃料電池が発電を開始できることとなる。それにより電気負荷が増えているにも係わらず燃料電池発電を停止した状態が継続することなくなるため、燃料電池の効率利用が可能となる。
【０００８】
【発明の実施の形態】
請求項１に記載の発明は、洗濯機と、洗濯機を制御する洗濯機制御部と、燃料電池排熱による湯を貯える燃料電池貯湯槽と、燃料電池貯湯槽の複数箇所に設けた温度検出手段と、燃料電池貯湯槽の出湯温を制御する燃料電池貯湯槽制御部と、燃料電池貯湯槽の出湯温を設定するリモコンとを備え、リモコンは温度検出手段により得た計測の結果、燃料電池貯湯槽の湯が任意温度以上かつ任意量以上ある場合、その旨を表示する表示手段を有することを特徴としたもので、リモコンの表示を使用者が見ることで、燃料電貯湯槽に任意温度以上かつ任意量以上のお湯が蓄えてられていることがわかり、使用者が燃料電池貯湯槽のお湯を洗濯機に使用して貯湯槽のお湯を少なくすることで燃料電池が発電を開始できることとなる。それにより電気負荷が増えているにも係わらず燃料電池発電を停止した状態が継続することなくなるため、燃料電池の効率利用が可能となる。
【０００９】
請求項２に記載の発明は、燃料電池貯湯槽制御部は燃料電池貯湯槽の湯が任意温度以上かつ任意量以上ある場合、洗濯機制御部に運転指令信号を送出することを特徴としたもので、使用者はリモコン表示を見て自分で判断しなくても自動的に洗濯機が運転されるため湯が貯まっている場合はより積極的にお湯を利用し、燃料電池の効率的利用を行うことが可能となる。
【００１０】
請求項３に記載の発明は、燃料電池貯湯槽制御部には洗濯機制御部への信号を送受する無線通信ユニットを有し、また洗濯機制御部には燃料電池貯湯槽制御部への信号を送受する無線通信ユニットを有することを特徴としたもので、燃料電池貯湯槽と洗濯機間の信号の送受は無線のため、わずらわしい屋内配線工事が不要とすることができるものである。
【００１１】
請求項４に記載の発明は、食器洗浄機と、食器洗浄機を制御する食器洗浄機制御部と、燃料電池排熱による湯を貯える燃料電池貯湯槽と、燃料電池貯湯槽の複数箇所に設けた温度検出手段と、燃料電池貯湯槽の出湯温を制御する燃料電池貯湯槽制御部と、燃料電池貯湯槽の出湯温を設定するリモコンとを備え、リモコンは温度検出手段により得た計測の結果、燃料電池貯湯槽の湯が任意温度以上かつ任意量以上ある場合、その旨を表示する表示手段を有することを特徴としたもので、リモコンの表示を使用者が見ることで、燃料電貯湯槽に任意温度以上かつ任意量以上のお湯が蓄えてられていることがわかり、使用者が燃料電池貯湯槽のお湯を食器洗浄機に使用して貯湯槽のお湯を少なくすることで燃料電池が発電を開始できることとなる。それにより電気負荷が増えているにも係わらず燃料電池発電を停止した状態が継続することなくなるため、燃料電池の効率利用が可能となる。
【００１２】
請求項５に記載の発明は、燃料電池貯湯槽制御部は燃料電池貯湯槽の湯が任意温度以上かつ任意量以上ある場合、食器洗浄機制御部に運転指令信号を送出することを特徴としたもので、使用者はリモコン表示を見て自分で判断しなくても自動的に食器洗浄機が運転されるため湯が貯まっている場合はより積極的にお湯を利用し、燃料電池の効率的利用を行うことが可能となる。
【００１３】
請求項６に記載の発明は、燃料電池貯湯槽制御部には食器洗浄機制御部への信号を送受する無線通信ユニットを有し、また食器洗浄機制御部には燃料電池貯湯槽制御部への信号を送受する無線通信ユニットを有することを特徴としたもので、燃料電池貯湯槽と食器洗浄機間の信号の送受は無線のため、わずらわしい屋内配線工事が不要とすることができるものである。
【００１４】
【実施例】
以下、本発明の実施例について図面を参照しながら説明する。
【００１５】
（実施例１）
図１は、本発明の第１の実施例における温水供給装置の構成図を示すものである。図１において、１は洗濯機、２は洗濯機制御部、３は燃料電池排熱による湯を貯える燃料電池貯湯槽、４は燃料電池貯湯槽の複数箇所に設けた温度検出手段、５は燃料電池貯湯槽の出湯する湯温を制御する貯湯槽制御部、６は燃料電池貯湯槽から出湯する湯の温度を設定するリモコン、７は表示手段である。
【００１６】
以上のように構成された温水供給装置について以下その動作、作用を説明する。
【００１７】
燃料電池排熱による湯を貯えた燃料電池貯湯槽３はリモコン６で設定された温度となるように出湯を制御され、そのお湯を給湯配管や洗濯機１に供給する。燃料電池排熱による湯を貯える燃料電池貯湯槽３には上部から下部にかけ複数箇所、温度検出手段４（サーミスタ等）ａ〜ｃを設けてられている。その温度検出手段４ａ〜ｃにより燃料電池貯湯槽のどの位置まで任意温度（例えばリモコンで設定できる最高温度）以上の分布になっているかを計測する。その計測結果と貯湯槽の容量により、任意温度以上かつ任意量以上のお湯がたまっているかを判定する。その結果、あらかじめ決めておいた温度以上かつ湯量である場合は貯湯槽制御部５がリモコン６へその旨の信号を送り、リモコン６は表示手段７にその表示を行う。以上のように上記発明によれば貯湯槽に任意温度以上かつ任意量以上のお湯が蓄えていた場合、その旨がリモコンに表示され、それを見ることで使用者はこのお湯を洗濯機に使用して貯湯槽のお湯を少なくすることで燃料電池が発電を開始できることとなる。それにより電気負荷が増えているにも係わらず燃料電池発電を停止した状態が継続することなくなるため、燃料電池の効率利用が可能となる。
【００１８】
（実施例２）
図２は、本発明の第２の実施例における温水供給装置の構成図を示すものである。燃料電池貯湯槽制御部５は燃料電池貯湯槽３の湯が任意温度以上かつ任意量以上ある場合、洗濯機制御部２に運転指令信号を送出することにより自動的に洗濯機１を運転させ、燃料電池貯湯槽のお湯を積極的に使用し、燃料電池の効率的利用を行うことが可能となる。
【００１９】
（実施例３）
図３は、本発明の第３の実施例における温水供給装置の構成図を示すものである。燃料電池貯湯槽制御部５には洗濯機制御部２への信号を送受する無線通信ユニット８を有し、また洗濯機制御部２には燃料電池貯湯槽制御部５への信号を送受する無線通信ユニット８を有することにより、燃料電池貯湯槽と洗濯機間の信号の送受は無線となり、わずらわしい屋内配線工事が不要とすることができるものである。
【００２０】
（実施例４）
図４は、本発明の第４の実施例における温水供給装置の構成図を示すものである。図４において、９は食器洗浄機、１０は食器洗浄機制御部、３は燃料電池排熱による湯を貯える燃料電池貯湯槽、４は燃料電池貯湯槽の複数箇所に設けた温度検出手段、５は燃料電池貯湯槽の出湯する湯温を制御する貯湯槽制御部、６は燃料電池貯湯槽から出湯する湯の温度を設定するリモコン、７は表示手段である。
【００２１】
以上のように構成された温水供給装置について以下その動作、作用を説明する。
【００２２】
燃料電池排熱による湯を貯えた燃料電池貯湯槽３はリモコン６で設定された温度となるように出湯を制御され、そのお湯を給湯配管や洗濯機１に供給する。燃料電池排熱による湯を貯える燃料電池貯湯槽３には上部から下部にかけ複数箇所、温度検出手段４（サーミスタ等）ａ〜ｃを設けてられている。その温度検出手段４ａ〜ｃにより燃料電池貯湯槽のどの位置まで任意温度（例えばリモコンで設定できる最高温度）以上の分布になっているかを計測する。その計測結果と貯湯槽の容量により、任意温度以上かつ任意量以上のお湯がたまっているかを判定する。その結果、あらかじめ決めておいた温度以上かつ湯量である場合は貯湯槽制御部５がリモコン６へその旨の信号を送り、リモコン６は表示手段７にその表示を行う。以上のように上記発明によれば貯湯槽に任意温度以上かつ任意量以上のお湯が蓄えていた場合、その旨がリモコンに表示され、それを見ることで使用者はこのお湯を食器洗浄機に使用して貯湯槽のお湯を少なくすることで燃料電池が発電を開始できることとなる。それにより電気負荷が増えているにも係わらず燃料電池発電を停止した状態が継続することなくなるため、燃料電池の効率利用が可能となる。
【００２３】
（実施例５）
図５は、本発明の第５の実施例における温水供給装置の構成図を示すものである。燃料電池貯湯槽制御部５は燃料電池貯湯槽３の湯が任意温度以上かつ任意量以上ある場合、食器洗浄機制御部１０に運転指令信号を送出することにより自動的に食器洗浄機９を運転させ、燃料電池貯湯槽のお湯を積極的に使用し、燃料電池の効率的利用を行うことが可能となる。
【００２４】
（実施例６）
図６は、本発明の第６の実施例における温水供給装置の構成図を示すものである。燃料電池貯湯槽制御部５には食器洗浄機制御部１０への信号を送受する無線通信ユニット８を有し、また食器洗浄機制御部９には燃料電池貯湯槽制御部５への信号を送受する無線通信ユニット８を有することにより、燃料電池貯湯槽と洗濯機間の信号の送受は無線となり、わずらわしい屋内配線工事が不要とすることができるものである。
【００２５】
【発明の効果】
以上説明したように本発明によれば、貯湯槽に任意温度以上かつ任意量以上のお湯が蓄えていた場合、リモコンにその旨を表示することで、使用者は所定量のお湯が貯湯槽に貯えられていることを知り、このお湯を積極的に洗濯機に使用して貯湯槽のお湯を少なくすることで燃料電池が発電を開始できることとなる。それにより電気負荷が増えているにも係わらず燃料電池発電を停止した状態が継続することなくなるため、燃料電池の効率利用が可能となる。
【００２６】
また、燃料電池貯湯槽の湯が任意温度以上かつ任意量以上ある場合、洗濯機制御部へ運転指令信号を送出し、自動的に洗濯機を運転させることで燃料電池貯湯槽の貯まったお湯を積極的に使用し、燃料電池の効率的利用を行うことが可能となる。
【００２７】
また、燃料電池貯湯槽制御部には洗濯機制御部への信号を送受する無線通信ユニットを有し、また洗濯機制御部には燃料電池貯湯槽制御部への信号を送受する無線通信ユニットを有することにより燃料電池貯湯槽と洗濯機間の信号の送受は無線となり、わずらわしい屋内配線工事が不要とすることができるものである。
【００２８】
また、貯湯槽に貯えられたお湯を洗濯機のみならず、食器洗浄機に使用する場合も上記と同様の効果がえられるものである。
【図面の簡単な説明】
【図１】本発明の実施例１の温水供給装置を示す構成図
【図２】本発明の実施例２の温水供給装置を示す構成図
【図３】本発明の実施例３の温水供給装置を示す構成図
【図４】本発明の実施例４の温水供給装置を示す構成図
【図５】本発明の実施例５の温水供給装置を示す構成図
【図６】本発明の実施例６の温水供給装置を示す構成図
【図７】従来の温水供給装置を示す構成図
【符号の説明】
１  洗濯機貯湯槽
２  洗濯機制御部
３  貯湯槽
４  温度検出手段ａ〜ｃ
５  貯湯槽制御部
６  リモコン洗濯機注水部
７  表示手段
８  通信ユニット
９  食器洗浄機
１０  食器洗浄機制御部
１０１  燃料電池
１０２  温水タンク
１０３  熱交換器
１０４  配管
１０５  給水管
１０６  給湯管
１０７  温度センサ
１０８  温度センサ
１０９  温度センサ
１１０  温度センサ
１１１  温度センサ
１１２  制御装置
１１３  発電装置
【図１】
2004347288.tif 000003
【図２】
2004347288.tif 000004
【図３】
2004347288.tif 000005
【図４】
2004347288.tif 000006
【図５】
2004347288.tif 000007
【図６】
2004347288.tif 000008
【図７】
2004347288.tif 000009